(57)【要約】本発明は、引き戸の正面方向または横方向のロックを可能にする引き戸用の閉鎖装置に加えて、ロック、フィッティング、および閉鎖プレートに関する。同様に、本発明は、本発明の閉鎖装置を含む引き戸システムに関する。
2021525325.tif 000002
【特許請求の範囲】
【請求項１】
引き戸（１００）用のロックであって、該ロックは、
ハウジング（１０１）、
枢動軸（Ａ）の周りで伸長位置から後退位置へ回転可能な円形ラッチ（１０２）、および
スライドシステム（１０３）であって、前記円形ラッチ（１０２）の前記伸長位置から前記後退位置への回転は、前記スライドシステム（１０３）を介して達成可能である、前記スライドシステム（１０３）を備える、前記ロックにおいて、
前記スライドシステム（１０３）は、長手方向スライド（１０５）および横方向スライド（１０４）を備え、これらは、結合され、相互に変位可能であり、前記円形ラッチ（１０２）の前記伸長位置から前記後退位置への回転は、前記円形ラッチ（１０２）の方向への前記長手方向スライド（１０５）の変位によってトリガー可能であり、
前記長手方向スライド（１０５）および前記横方向スライド（１０４）は、前記円形ラッチ（１０２）の方向への前記長手方向スライド（１０５）の変位が、前記横方向スライド（１０４）の垂直方向の変位によって達成可能であるように相互作用し、
前記円形ラッチ（１０２）の前記伸長位置から前記後退位置への回転は、前記長手方向スライド（１０５）に加えられる押圧力、または前記横方向スライド（１０４）に加えられる牽引力のいずれかによって達成可能である、ロック。
【請求項２】
前記円形ラッチ（１０２）の前記伸長位置から前記後退位置への回転が阻害されるロック位置から、前記円形ラッチ（１０２）に向かう前記長手方向スライド（１０５）の変位により、前記円形ラッチ（１０２）が伸長位置から後退位置に回転可能であるロック解除位置へ前記円形ラッチ（１０２）が移動可能であるガードロッキングプレート（１０６）が設けられることを特徴とする、請求項１に記載のロック。
【請求項３】
前記円形ラッチ（１０２）が前記伸長位置から前記後退位置へ回転するとき、ロック解除位置からロック位置へ移動可能であるインターロッキングプレート（１０７）が設けられ、前記後退位置から前記伸長位置への前記円形ラッチ（１０２）の前記回転は、前記ロック位置の前記インターロッキングプレート（１０７）によって阻害することができるようになっていることを特徴とする、請求項１または２に記載のロック。
【請求項４】
阻害ユニット（１０８）が、前記ハウジング（１０１）の前面プレート（１１１）と前記インターロッキングプレート（１０７）との間に設けられ、前記阻害ユニット（１０８）によって前記インターロッキングプレート（１０７）は前記ロック位置で阻害できるようになっていることを特徴とする、請求項３に記載のロック。
【請求項５】
前記阻害ユニット（１０８）によって前記ロック位置で阻害され得る前記インターロッキングプレート（１０７）は、前記阻害ユニット（１０８）を前記前面プレート（１１１）に向かって変位させることによって解放可能であり、前記後退位置から前記伸長位置への前記円形ラッチ（１０２）の前記回転は、前記インターロッキングプレート（１０７）の前記解放によってトリガー可能であることを特徴とする、請求項４に記載のロック。
【請求項６】
前記阻害ユニット（１０８）は永久磁石（１０９）を備え、その位置が前記阻害ユニット（１０８）内で調整可能であり、前記阻害ユニット（１０８）の変位および前記インターロッキングプレート（１０７）の解放は、カウンター磁石によって達成可能であることを特徴とする、請求項５に記載のロック。
【請求項７】
請求項１から６のいずれか一項に記載のロック（１００）を操作するためのフィッティング（２００、６００）であって、
ハウジング（２１２）と、
ベアリング（２１０）内に回転可能に取り付けられ、前記ベアリング（２１０）が前記ハウジング（２１２）にしっかりと接続されているハンドル（２０４、６０４）と、
前記ロック（１００）に接続するための接続要素（１１２、１１３）を取り付けるための手段を備えるスライダー（２０６、６０６）とを備え、
前記ハウジング（２１２）に対する前記スライダー（２０６、６０６）および取り付けられた前記接続要素（１１２、１１３）の変位は、前記ハンドル（２０４、６０４）を回転させることによって達成可能であり、ロッキング要素（２１３、６１３）と、使用者との相互作用のために設計された作動要素（２１１、６１１）とを備えるロッキング機構（２０２、６０２）が設けられるフィッティング（２００、６００）であって、
前記作動要素（２１１、６１１）を前記接続要素（１１２、１１３）に平行な方向に変位させることにより、前記ロッキング要素（２１３、６１３）は、前記スライダー（２０６、６０６）の変位を阻害する位置に移動可能であることを特徴とする、フィッティング（２００、６００）。
【請求項８】
前記ハンドル（２０４、６０４）は、前記ハンドル（２０４、６０４）の軸に垂直に配置されたタブ（２０５、６０５）を備え、前記スライダー（２０６、６０６）の、ならびに前記スライダー（２０６、６０６）に取り付けられた前記接続要素（１１２、１１３）の前記ハウジングに対する変位は、前記ハンドル（２０４、６０４）の軸の周りで前記タブ（２０５、６０５）を回転させることによって達成可能であることを特徴とする、請求項７に記載のフィッティング（２００、６００）。
【請求項９】
長手方向軸（Ｌ）を有する前面プレート（４１１）を備えたハウジング（４０１）と、請求項１〜７のいずれか一項に記載のロック（１００）の円形ラッチ（１０２）を受け入れるための開口部（４０４）と、プラスチックソケット（４０６）内に保持された磁石（４０５）とを備える閉鎖プレート（４００）であって、前記磁石（４０５）は、前記プラスチックソケット（４０６）内に偏心して取り付けられ、前記磁石（４０５）の位置は、前記プラスチックソケット（４０６）を回すことにより、前記前面プレート（４１１）の前記長手方向軸（Ｌ）に対して調整可能であることを特徴とする、閉鎖プレート（４００）。
【請求項１０】
鉛直閉鎖プレートユニット（４０２）および水平閉鎖プレートユニット（４０３）が設けられ、これによって請求項１〜７のいずれか一項に記載のロック（１００）の前記円形ラッチ（１０２）に前記開口部（４０４）の形状およびサイズを適合させることができることを特徴とする、請求項９に記載の閉鎖プレート（４００）。
【請求項１１】
引き戸用の閉鎖装置（１）であって、請求項１〜６のいずれか一項に記載のロック（１００）と、請求項７または８に記載のフィッティング（２００、６００）と、前記ロック（１００）を前記フィッティング（２００、３００）に接続し、前記引き戸の横方向および正面方向のロックを可能にする接続要素（１１２、１１３）とを備える、閉鎖装置（１）。
【請求項１２】
前記フィッティング（６００）は、ロッキング機構（６０２）を特徴とし、前記ロック（１００）の前記円形ラッチ（１０２）が、その後退位置にある場合、前記ロッキング機構（６０２）は作動できないようになっていることを特徴とする、請求項１１に記載の閉鎖装置（１）。
【請求項１３】
請求項９または１０に記載の閉鎖プレート（４００）を備えることを特徴とする、請求項１１または１２に記載の閉鎖装置（１）。
【請求項１４】
前記ロック（１００）はセルフロック式であり、磁気的にトリガー可能であることを特徴とする、請求項１１〜１３のいずれか一項に記載の閉鎖装置（１）。
【請求項１５】
引き戸と、請求項１１〜１４のいずれか一項に記載の閉鎖装置とを備える、引き戸システム。
【発明の詳細な説明】
【技術分野】
【０００１】
本発明は、引き戸用の閉鎖装置に関する。本発明は、特に、引き戸の横方向および正面方向のロックを可能にする閉鎖装置に関する。さらに、本発明はまた、正面方向および横方向に設置および操作することができ、引き戸の横方向および正面方向のロックを可能にする引き戸用のロックに関する。それはまた、本発明の閉鎖装置の閉鎖プレートに関する。さらに、本発明はまた、ロックが正面方向または横方向に設置されているかどうかに関係なく、本発明のロックを操作するために使用することができるフィッティングに関する。最後に、本発明はまた、本発明の閉鎖装置および／または本発明のロックを含む引き戸システムに関する。
【背景技術】
【０００２】
フィッティング、ロック、および閉鎖プレートを含む引き戸用の閉鎖装置は、多種多様な実施形態ですでに知られている。特に、セルフロック式のロック、すなわち、閉じるたびにドアを自動的にロックすることができ、ドアが開いているとき、すなわちロックラッチが引っ込められているときにフラッシュ設計を有するロックが知られている。
【０００３】
しかしながら、例えば、特許文献１から知られている従来技術のロックは、いくつかの欠点を有する。ロックを操作するためのフィッティングは、通常、同じ場所でロックに直接接続される。しかしながら、ドア内の空間的に離れた、そしてしばしばより便利な位置にフィッティングを設置できることは、これが技術的および美的利点を提供するので、望ましいであろう。
【０００４】
さらに、正面方向または横方向の設置およびロッキングのいずれかに適した引き戸ロックが知られている。しかしながら、例えば、引き戸に両方のロッキングのバリエーションを提供する場合は、２つの異なるタイプの引き戸ロックが必要になり、製造と保管にかなりのコストがかかる。
【先行技術文献】
【特許文献】
【０００５】
【特許文献１】独国特許出願公開第１０２００７０４１４０２号明細書
【発明の概要】
【発明が解決しようとする課題】
【０００６】
したがって、本発明の目的は、上記の従来技術の欠点を克服し、引き戸用の改良された閉鎖装置に加えて、そのような閉鎖装置を組み込んだ改良された引き戸システムを提供することである。
【０００７】
特に、正面方向または横方向のロッキングを選択的に可能にする閉鎖装置および引き戸システムが提供される必要がある。
【０００８】
さらに、本発明の目的は、任意選択で、正面方向または横方向に設置して操作することができるロックを提供することでもある。本発明はまた、ロックの最適なロッキングを達成することができる閉鎖プレートを提案することを目的としている。さらに、本発明のロックがドアの正面方向または横方向に設置されているかどうかに関係なく、本発明のロックを有利に操作することができるフィッティングを提供することも本発明の目的である。
【課題を解決するための手段】
【０００９】
本発明によれば、上記の目的のすべては、独立請求項に画定された解決策によって達成される。本発明の有利な実施形態は、従属請求項に画定され、説明に開示されている。
特に、本発明の目的は、ハウジング、伸長位置から後退位置まで枢動軸の周りで回転可能な円形ラッチ、およびスライドシステムを含むロックによって達成され、それを介して、伸長位置から後退位置への円形ラッチの回転を達成可能である。ロックは、スライドシステムが長手方向スライドおよび横方向スライドを含み、円形ラッチの伸長位置から後退位置への回転は、長手方向スライドを円形ラッチに向かって変位させることによってトリガー可能であり、長手方向スライドと横方向スライドは、長手方向スライドを円形ラッチに向かって変位させることが、横方向スライドをそれに垂直に変位させることによって達成可能となるように相互作用し、円形ラッチを伸長位置から後退位置への回転は、長手方向スライドに加えられる押圧力、または横方向スライドに加えられる牽引力のいずれかによって達成可能であることを特徴とする。
【００１０】
これらの構成のために、本発明のロックは、ドアの前面または側面のいずれかに設置して操作することができる。同じロックを様々な状況で使用することができるので、この多様性は、従来技術に対する明確な利点を表す。ロックは、設置と操作の点で非常に柔軟性があり、したがって、幅広いアプリケーションにアクセスできる。特定の設置または操作のみを許可するロックを購入して保管する必要はない。
【００１１】
本発明のさらに好ましい一実施形態では、円形ラッチの伸長位置から後退位置への回転が阻止されるロック位置から、円形ラッチに向かう長手方向スライドの変位により、円形ラッチが伸長位置から後退位置に回転可能であるロック解除位置へ円形ラッチが移動可能であるガードロッキングプレートが提供される。ガードロッキングプレートは、円形ラッチの伸長位置から後退位置への回転を外部から駆動できないことを保証する。この種の機構は、その他の方法で、ドアリーフとドアフレームの間にクレジットカードなどの平らな物体を挿入して、円形ラッチを元に戻すことで、ロックを開くことができるので、有利である。
【００１２】
本発明のさらに別の好ましい一実施形態では、円形ラッチを伸長位置から後退位置に回転させることによって、ロック解除位置からロック位置に移動可能であるインターロッキングプレートが提供され、後退位置から伸長位置への円形ラッチの回転は、ロック位置のインターロッキングプレートによって阻害することができる。
【００１３】
これは、円形ラッチが後退位置に回転されたときに、この位置に保持されるという点で有利である。そのような機構は、ドアが開いているときのロックのフラッシュ設計を有利に可能にする。
【００１４】
本発明のさらに別の好ましい一実施形態では、阻害ユニットが、ハウジングの前面プレートとインターロッキングプレートとの間に提供され、それによってインターロッキングプレートはロック位置で阻害され得る。阻害ユニットは、ロック位置に変位したインターロッキングプレートがこの位置に保持されることを保証する。このような機構により、インターロッキングプレートがロック位置からロック解除位置に戻るリスクなしに、引き戸を変位させることができる。
【００１５】
本発明のさらに別の一実施形態では、阻害ユニットによってロック位置で阻害されるインターロッキングプレートは、阻害ユニットを前面プレートに向かって変位させることによって解放可能であり、後退位置から伸長位置への円形ラッチの回転は、インターロッキングプレート（１０７）の解放によってトリガーされ得る。結果として、本発明のロックは有利にはセルフロック式であり、円形ラッチの伸長は、単に阻害ユニットを変位させることによってトリガーされる。
【００１６】
本発明の別の好ましい一実施形態では、阻害ユニットは永久磁石を含み、その位置が有利には阻害ユニット内で調整可能であり、阻害ユニットの変位およびインターロッキングプレートの解放は、カウンター磁石によって達成され得る、すなわち達成可能である。したがって、本発明のロックは、磁気的にトリガー可能である。磁気作動機構の利点は、ドアフレームまたは閉鎖プレートの側面に追加の複雑な機構を必要としないという事実にある。阻害ユニット内の磁石の位置を調整できる機能は、ロック内の磁石と閉鎖プレート内のカウンター磁石の間の力の量が、２つの磁石間の距離によって簡単に調整できることを意味する。
【００１７】
本発明の目的はさらに、本発明のロックを操作するためのフィッティングによっても達成され、フィッティングは、ハウジングと、ハウジングに接続されたベアリング内で回転可能なハンドルと、ロックに接続するための接続要素を取り付けるための手段を提供し、ロックにフィッティングを接続するスライダーとを含み、ハウジングに対するスライダーおよび取り付けられた接続要素の変位は、ハンドルを回転させることによって達成可能であり、使用者による操作のために設計されたアクチュエータと、ロッキング要素とを含むロッキング機構が提供され、作動要素を接続要素に平行な方向に変位させることにより、ロッキング要素は、スライダーの変位を阻害する位置にもたらすことができる。
【００１８】
そのような構成は、本発明のフィッティングが本発明のロックの操作を可能にすることを可能にする。また、スライダーの両側に接続要素を取り付けることができるため、フラップを回転させることで押圧力や牽引力を加えることができる。このようにして、本発明のフィッティングは、ロックが正面方向または横方向に取り付けられているかどうかに関係なく、本発明のロックを操作することができる。さらに、本発明のフィッティングは、ロッキング機構によりロックすることができる。
【００１９】
本発明のフィッティングの第１の好ましい実施形態では、ハンドルは、ハンドルの軸に垂直に配置されたタブを含み、スライダーの、ならびにスライダーに取り付けられた接続要素のハウジングに対する変位は、ハンドルの軸の周りでタブを回転させることによって達成される。この有利な機構のために、鉛直軸の周りのハンドルの回転は、スライダーの、およびスライダーに取り付けられた接続要素の水平方向の変位に変換することができ、本発明のフィッティングは、機能的なシェルハンドルの形態をとることができる。また、スライダーの両側に接続要素を取り付けることができるため、フラップを回転させることで押圧力や牽引力を加えることができる。
【００２０】
本発明のフィッティングの第１の好ましい実施形態の変形例では、ばねがスライダーとハウジングとの間に提供され、それによって、ハンドルの回転およびスライダーの変位に続いて、ハンドルおよびスライダーの元の位置への自動復帰が達成可能である。これにより、本発明のフィッティングのフラップが常に元の位置に戻ることが保証される。
【００２１】
本発明のフィッティングの第２の好ましい実施形態では、フィッティングは、接続要素を取り付けるための穴を有する回転テーブルを含む。ハウジングに対する回転テーブルに取り付けられた接続要素の変位は、ハンドルの回転によって達成可能である。この好ましい実施形態では、水平方向軸の周りのハンドルの回転は、ロックの動作を開始することができる。また、接続要素を回転テーブルの両側に取り付けることができるので、ハンドルを回転させると、本発明のロックを操作するために押圧力または牽引力を生成することができる。
【００２２】
本発明の目的はまた、ロックをロッキングするための閉鎖プレートによって達成され、閉鎖プレートは、長手方向軸を有する前面プレートを備えたハウジングと、本発明のロックの円形ラッチを受け入れるための開口部と、プラスチックソケット内に保持された磁石とを含み、磁石は、プラスチックソケット内に偏心して組み込まれ、前面プレートの長手方向軸に対する磁石の位置は、プラスチックソケット（４０６）を回すことにより調整可能である。
【００２３】
閉鎖プレートの長手方向軸に対する磁石の位置を調整することにより、ロックがロッキングされるモーメントを設定することができる。閉鎖プレート内の磁石の位置を調整する機能は、ロックが横方向に取り付けられているか正面方向に取り付けられているかに関係なく、本発明のロックの最適なトリガーを保証する。これは、横方向に取り付けられたロックの場合に特に有利であり、ロックラッチが閉鎖プレートの開口部の前でロックしないことを保証することが不可欠である。正面方向に取り付けられたロックの場合、磁石の位置を調整して、円形ラッチを閉鎖プレートの開口部に最適に挿入することができる。
【００２４】
本発明の閉鎖プレートの好ましい一実施形態では、鉛直閉鎖プレートユニットおよび水平閉鎖プレートユニットが提供され、これによってロックの円形ラッチに本発明の閉鎖プレートの開口部の形状およびサイズを適合させることができる。これにより、ロックの最適なロッキングを達成可能となる。
【００２５】
本発明の閉鎖プレートのさらに好ましい一実施形態では、プラスチックソケットは、支持体を含み、それによって、ハウジング内のプラスチックソケットの回転を阻害することができる。これにより、ハウジングに対する磁石の相対位置が、時間の経過とともに自動的に変化する可能性がなくなることが保証される。
【００２６】
本発明の目的はさらに、引き戸用の閉鎖装置であって、本発明のロックと、本発明のフィッティングと、ロックをフィッティングに接続し、引き戸の横方向および正面方向のロックを可能にする接続要素とを含む閉鎖装置によっても達成される。これにより、閉鎖装置の高レベルの設置の多様性が保証される。
【００２７】
本発明の好ましい一実施形態では、横方向に取り付けられたロックは、接続要素によって及ぼされる押圧力または牽引力によって操作することができる。これにより、本発明の閉鎖装置の設置の多様性がさらに高まる。
【００２８】
本発明の別の好ましい一実施形態では、ロックを操作するために必要な押圧力または牽引力は、フィッティングのハンドルを回転させることによって生成することができる。その結果、フィッティングとロックは空間的に分離され、接続要素によってのみ接続することができる。
【００２９】
本発明の別の好ましい一実施形態では、フィッティングはロッキング機構を含み、ロックの円形ラッチがその後退位置にあるとき、ロッキング機構は操作できない。
【００３０】
本発明の別の好ましい一実施形態では、閉鎖装置は、本発明の閉鎖プレートを含む。これにより、閉鎖装置の、特に本発明のロックの最適なロッキングが保証される。
【００３１】
本発明のさらに好ましい一実施形態では、ロックはセルフロック式であり、有利には磁気的にトリガー可能である。その結果、ロックは、ドアが開いているときの美的および安全上の理由から特に有利なフラッシュ設計を有することができる。セルフロック式で磁気トリガー可能なロックを提供する可能性により、ドアフレームと閉鎖プレートの側面に簡単な構造でトリガー機構を作成できる。
【００３２】
本発明の目的はさらに、本発明の閉鎖装置を含む引き戸システムによっても達成される。したがって、引き戸システムは、正面方向のロッキングまたは横方向のロッキングが必要な場合に使用できる。
【００３３】
本発明のさらなる詳細は、添付の図面に示される本発明の好ましい実施形態の詳細な説明から明らかになるであろう。この説明はまた、本発明のさらなる利点、ならびに本発明の主題を特許請求の範囲内でどのように修正またはさらに発展させることができるかに関する提言および提案を示している。
【図面の簡単な説明】
【００３４】
【図１ａ】ロックのラッチを伸ばした本発明のロックのインターロッキングプレートの側面からの概略斜視図を示す。
【図１ｂ】ラッチを伸ばした本発明のロックのガードロッキングプレートの側面からの概略斜視図を示す。
【図１ｃ】ラッチを伸ばした本発明のロックのインターロッキングプレートの側面からの概略斜視断面図を示す。
【図１ｄ】ラッチを伸ばした本発明のロックのインターロッキングプレートの側面からの概略側面断面図を示す。
【図２ａ】ラッチを格納して長手方向のスライドを備えた本発明のロックのインターロッキングプレートの側面からの概略斜視図を示す。
【図２ｂ】ラッチを格納して長手方向のスライドを備えた本発明のロックのガードロッキングプレートの側面からの概略斜視図を示す。
【図２ｃ】ラッチを格納して長手方向のスライドを備えた本発明のロックのインターロッキングプレートの側面からの概略斜視断面図を示す。
【図２ｄ】ラッチを格納して長手方向のスライドを備えた本発明のロックのインターロッキングプレートの側面からの概略側面断面図を示す。
【図３ａ】ラッチを格納して長手方向のスライドが伸長位置にある本発明のロックのインターロッキングプレートの側面からの概略斜視図を示す。
【図３ｂ】ラッチを格納して長手方向のスライドが伸長位置にある本発明のロックのガードロッキングプレートの側面からの概略斜視図を示す。
【図３ｃ】ラッチを格納して長手方向のスライドが伸長位置にある本発明のロックのインターロッキングプレートの側面からの概略斜視断面図を示す。
【図３ｄ】ラッチを格納して長手方向のスライドが伸長位置にある本発明のロックのインターロッキングプレートの側面からの概略側面断面図を示す。
【図４ａ】シェルハンドルおよびロックが横方向に取り付けられ、ロックが正面方向に取り付けられたロックの形態の本発明のフィッティングの第１の実施形態を備えた本発明の引き戸用の閉鎖装置の概略斜視図を示す。
【図４ｂ】図４ａの閉鎖装置を示しているが、シェルハンドルの前面プレートが隠されている。
【図４ｃ】本発明のシェルハンドルのスライダーおよびフラップの概略斜視図を示す。
【図４ｄ】図４ａの閉鎖装置を示しているが、シェルハンドルのハウジングが隠されており、フラップが回転している。
【図５ａ】ロック解除位置にある本発明のシェルハンドルのロッキング機構の概略側面断面図を示す。
【図５ｂ】ロック位置にある本発明のシェルハンドルのロッキング機構の概略側面断面図を示す。
【図６ａ】本発明の閉鎖プレートの概略斜視図を示す。
【図６ｂ】本発明の閉鎖プレートの概略斜視断面図を示す。
【図６ｃ】本発明の閉鎖プレートのハウジングの概略斜視図を示す。
【図７】本発明のフィッティングの第２の実施形態の概略斜視図を示す。
【図８】本発明の引き戸システムの好ましい一実施形態の概略斜視図を示す。
【図９】ロック解除位置にあるシェルハンドルの形態の本発明のフィッティングの第２の実施形態に係るロッキング機構の概略断面図を示す。
【図１０】ロック位置にあるシェルハンドルの形態の本発明のフィッティングの第２の実施形態に係るロッキング機構の概略側面断面図を示す。
【発明を実施するための形態】
【００３５】
図１ａは、その閉位置にある本発明のロック１００の概略斜視図を示し、これは、とりわけ、インターロッキングプレート１０７の側面から見た、円形ラッチ１０２、インターロッキングプレート１０７、ガードロッキングプレート１０６、スライドシステム１０３、および前面プレート１１１を特徴とする。図１ｂは、ガードロッキングプレート１０６の側面から見た、本発明のロック１００のその閉鎖位置にある概略斜視図を示す。図１ａおよび図１ｂでは、ロックのハウジング１０１が隠されている。ロックのハウジング１０１は、図１ｃおよび図１ｄに示されている。
【００３６】
図１ａおよび図１ｂは、軸Ａの周りで回転可能な円形ラッチ１０２に加えて、横方向スライド１０４および長手方向スライド１０５を示す。横方向および長手方向スライド１０４、１０５は、共にスライドシステム１０３を形成する。円形ラッチ１０２の一部は、その伸長位置で、ハウジング１０１の前面を形成するプレート１１１から突出している。
【００３７】
図１ｂに見られるように、円形ラッチ１０２は、ガードロッキングプレート１０６の側面に突起部１０２’を有する。ガードロッキングプレート１０６は、その一部において、鉛直断面および湾曲セクションを含む溝１０６’’を有する。ロック１００が閉位置にあるとき、円形ラッチ１０２の突起部１０２’は、ガードロッキングプレート１０６の溝１０６’’の鉛直セクションにあり、それにより、円形ラッチ１０２の自由回転を防止する。したがって、ガードロッキングプレート１０６は、ハウジング１０１の外側からロック１００を開くことを禁止する安全要素を構成する。
【００３８】
円形ラッチ１０２の伸長位置において、長手方向スライド１０５は、図１ｄに示されるように、ガードロッキングプレート１０６の斜めの下縁部１０６’に隣接する。長手方向スライド１０５をプレート１１１に向かって変位させると、最初に、ガードロッキングプレート１０６の鉛直変位が生じ、その結果、突起部１０２’に対して溝１０６’’の鉛直変位が生じ、この変位に続いて、突起部１０２’は、溝１０６’’の湾曲セクションの上端部に位置する。この位置では、突起部１０２’は、円形ラッチ１０２’が軸Ａを中心に回転することをもはや妨げない。
【００３９】
長手方向スライド１０５の変位は、例えば、長手方向スライド１０５に直接加えられる剛性ロッドによる方向Ｂの押圧力によって、または、例えば、横方向スライド１０４に加えられるロッドまたはケーブルによる方向Ｃの牽引力によって達成可能である。方向Ｃにおける横方向スライド１０４の変位は、横方向スライド１０４の突起部１０４’および長手方向スライド１０５の斜めに整列した溝１０５’のために、方向Ｂにおける長手方向スライド１０５の移動に変換される。したがって、スライドシステム１０３に加えられた押圧力または牽引力のいずれかによって、ロック１００を操作および開放することが可能である。なお、引っ張り方向Ｃは、長手方向スライド１０５を１８０°回転させることにより容易に変更することができることに留意すべきである。
【００４０】
ガードロッキングプレート１０６が長手方向スライド１０５によって持ち上げられた後、長手方向スライド１０５は、円形ラッチ１０２の下縁部１０２’’を押し、図２ａ〜図２ｃに示される位置に到達するまで、円形ラッチ１０２を軸Ａの周りおよび方向Ｄに回転させる。図１ａに見られるように、円形ラッチ１０２はまた、インターロッキングプレート１０７の側面に突起部１０２’’を有する。インターロッキングプレート１０７は、水平方向および斜めの断面を有する溝１０７’を有する。円形ラッチ１０２の回転は、突起１０２’’およびインターロッキングプレート１０７の溝１０７’の形状のために、インターロッキングプレート１０７を下げる。
【００４１】
本発明のロック１００はまた、磁石１９０を運ぶ阻害ユニット１０８を含む。阻害ユニット１０８は、本発明のロック１００のロック解除するために必要である。阻害ユニット１０８の機能原理を以下に説明する。
【００４２】
ロック１００が閉位置にあるとき、図１ａ〜図１ｄから明らかなように、磁石１９０を含む阻害ユニット１０８は、インターロッキングプレート１０７の縁部１０７’’に当接する。
【００４３】
インターロッキングプレート１０７を下げることにより、阻害ユニット１０８は解放され、阻害ユニット１０８と前面プレート１１１との間に配置されたばね１１０のばね力の作用下で、それがインターロッキングプレート１０７の縁部１０７’’に当接するまで、方向Ｅに押しのけられる。この位置における阻害ユニット１０８は、インターロッキングプレート１０７の上昇を防ぎ、したがって、円形ラッチ１０２が回転して伸長位置に戻るのを防ぐ。
【００４４】
阻害ユニット１０８によるインターロッキングプレート１０７のロッキングは、図３ａ〜図３ｄに示されるように、円形ラッチ１０２の回転なしに、長手方向スライド１０５がその元の位置に戻ることを可能にする。したがって、ロック１００が設置されているドアは、スライドシステム１０３に力を加える必要なしに、円形ラッチを後退位置にして移動することができる。
【００４５】
ロック１００をロッキングするために、インターロッキングプレート１０７を再び解放しなければならない。本発明のこの好ましい実施形態では、これは、磁石１９０を引き付け、ばね１１０を圧縮するカウンター磁石４０５の作用によって達成される。このカウンター磁石４０５は、例えば、ドアフレームまたは閉鎖プレート４００内に設置することができる。カウンター磁石４０５をロック１００の磁石１０９に近づけることにより、ロック１００の磁石１０９を、前面プレート１１１に向かって引くことができる。その結果、阻害ユニット１０８も前面プレート１１１に向かって移動し、インターロッキングプレート１０７が解放される。
【００４６】
インターロッキングプレート１０７が解放されると、それは再び持ち上げることができる。前面プレート１１１と円形ラッチ１０２との間に配置された円形ラッチばね１１４は、円形ラッチ１０２を軸Ａの周りに回転させて伸長位置に戻す。ガードロッキングプレートばね１１５の作用により、ガードロッキングプレート１０６も元の位置に戻る（図１ａ〜図１ｄ）。結果として、ロック１００は有利にはセルフロック式であり、円形ラッチ１０２の伸長は、単に阻害ユニット１０８を変位させることによってトリガーされる。
【００４７】
好ましくは、阻害ユニット１０８内の磁石１０９の位置は、調整することができる。これにより、２つの磁石１０９、４０５間の引力を容易に調整することができる。本発明の好ましい一実施形態では、磁石１０９は、磁石１０９の所望の位置が達成されるまで、阻害ユニット１０８にねじ込まれるねじ付きロッド１０８’に接続される。
【００４８】
図６ａは、本発明の閉鎖プレート４００の好ましい一実施形態を示す。閉鎖プレート４００は、ハウジング４０１と、鉛直方向に変位可能である鉛直閉鎖プレートユニット４０２と、水平方向に変位可能である水平閉鎖プレートユニット４０３とを含む。鉛直閉鎖プレートユニット４０２および水平閉鎖プレートユニット４０３を変位させることにより、ドアの最適なロックを保証するために、閉鎖プレート４００の開口部４０４のサイズおよび位置を、本発明のロック１００の円形ラッチ１０２の位置およびサイズに適合させることができる。本発明の閉鎖プレート４００では、カウンター磁石４０５がプラスチックソケット４０６内に設置され、好ましくは偏心して保持される。プラスチックソケット４０６は、ばね４０７によってハウジング４０１内に保持されている。これにより、ロック１００の左右の横方向の取り付けまたはロック１００の正面方向の取り付けのために、カウンター磁石４０５の偏心位置を適合させることができる。カウンター磁石４０５の位置の調整は、円形ラッチ１０２がいかなる場合でも開口部４０４の前でロックされないことを保証するために横方向の設置にとって特に重要である。ロック１００の正面設置の場合、カウンター磁石４０５の位置は、もう一度、ロック１００をロッキングする時点に影響を及ぼし、これは、使用の利便性を改善することができる。
【００４９】
磁石４０５の位置が時間とともに自動的に変化しないことを保証するために、プラスチックソケット４０６は、いくつかの支持体４１０と、ロッキング面４０９を備えた空洞４０８とを含む。プラスチックソケット４０６がハウジング４０１の前面プレート４１１と同一平面にあるとき、支持体４１０はロッキング面４０９上にあり、プラスチックソケットは回転できない。磁石４０５の位置を再調整できるようにするために、プラスチックソケット４０６は、支持体４１０がもはや表面４０９上に載らないように、空洞４０８内のばね４０７に対して押し付けられなければならない。プラスチックソケット４０６は、回転された後、再度解放することができる。
【００５０】
上で説明したように、本発明のロック１００は、押圧力または牽引力のいずれかによって操作することができる。これにより、図４ａに示されるように、ロック１００をドア、好ましくは引き戸に横方向および正面に取り付けることが可能になる。
【００５１】
ロック１００用のフィッティング２００の第１の実施形態は、図４ａ〜図４ｄに示されている。本発明のシェルハンドル２００は、横方向に取り付けられているか正面に取り付けられているかに関係なく、ロック１００の操作を可能にする。図４ａ、図４ｂ、および図４ｄの左側にある正面に取り付けられたロック１００は、剛性ロッド１１２によってシェルハンドル２００に接続されている。これらの図の右側にある横方向に取り付けられたロック１００は、ケーブル１１３および必要に応じてロッドによって、シェルハンドル２００に接続されている。ロッド１１２は、長手方向スライド１０５または横方向スライド１０４に固定され、ケーブル１１３が横方向スライド１０４に固定される。シェルハンドル２００は、ロック１００を操作するための機能コンポーネント２０１およびロッキング機構２０２からなる。
【００５２】
前面プレート２０３が隠されている図４ｂは、シェルハンドル２００の内側を示している。他の要素の中でも、この好ましい実施形態ではフラップの形態をとるハンドル２０４と、スライダー２０６が見える。フラップ２０４は、シェルハンドル２００のハウジング２１２にしっかりと接続されているベアリング２１０に回転可能に取り付けられている。図４ｃは、タブ２０５およびスライダー２０６を備えたフラップ２０４をより詳細に示している。
【００５３】
フラップ２０４を回転させると、スライダー２０６は、タブ２０５の作用下で方向Ｆに変位する。スライダー２０６は、スライダー２０６の溝２０６’を通過するねじ２０７によって水平に変位可能に保持される。ロッド１１２および／またはケーブル１１３は、例えばねじ付きピンなどの取り付け手段２０８によってスライダー２０６に接続されているので、ロッド１１２およびケーブル１１３も方向Ｆに移動し（図４ａを参照）、ロックを操作する。スライダー２０６が変位すると、ハウジング２１２とスライダー２０６との間に設置されているばね２０９が圧縮される。フラップ２０４が解放されると、ばね２０９は、スライダー２０６を元の位置に押し戻し、フラップ２０４を元に戻す。シェルハンドル２００の対称構造は、正面方向および横方向に取り付けられたロック１００を交換できることを意味する。このような場合、ロックは、フラップ２０４をＧと反対方向に回転させることによって操作される。
【００５４】
ロッキング機構２０２は、図５ａおよび図５ｂに基づいてより詳細に説明されている。機構２０２は、３つの部分、すなわち、アクチュエータ２１１（図４ａおよび図４ｂ）と、スライド要素２１５と、ラグ２１４を備えたロッキング要素２１３とからなる。
【００５５】
図５ａは、ロッキング要素２１３のラグ２１０が、スライド２０６の最下縁部よりも低いロック解除位置にある機構２０２を示している。スライド要素２１５に接続されているアクチュエータ２１１を変位させることによって、方向Ｈにおいて、ロッキング要素２１３は上昇される。図５ｂに示されるように、アクチュエータ２１１の変位後、ロッキング要素２１３のラグ２１０は、スライド２０６の最下縁部よりも再び高くなり、それによって、スライダー２０６の方向Ｆへの変位を防止する。ロック１００は、この位置で操作することはできない。ロック解除は、スライド要素２１１を押し戻し、ロッキング要素２１３を下げることによって実行される。
【００５６】
閉鎖装置１用のフィッティングの第２の実施形態が図７に示されている。本発明のフィッティング３００は、横方向または正面方向に設置されているかどうかに関係なく、ロック１００の操作を可能にする。フィッティング３００は、ハウジング３０１と、ベアリング３１０に回転可能に取り付けられたハンドル３０２とを含む。この図では、ハウジング３０１の前面プレートは隠されている。この好ましい実施形態で回転テーブルの形態をとるスライダー３０３は、ハンドル３０２と一体になってハウジング３０２に組み込まれ、したがってハンドル３０２と共に回転する。閉鎖装置１のロッド１１２またはケーブル１１３は、回転テーブル３０３の穴３０４に取り付けることができる。接続要素１１２、１１３は、回転テーブル３０３の両側に、したがってハウジングの両側に取り付けることができる。ハンドル３０２を回転させると、ロッド１１２またはケーブル１１３が変位し、それによってロック１００が動作する。
【００５７】
フィッティング３００はまた、ロッキング機構３０５を含む。ロッキング機構３０５は、この実施形態では、突起部３０７を有するロックシリンダー３０６を特徴とする。シリンダー３０６の回転は、第１のロッキングプレート３０８の横方向変位を駆動し、したがって、第２のロッキングプレート３０９の鉛直変位を駆動する。ロック位置では、第２のロッキングプレート３０９は、回転テーブル３０３の下縁部に当接し、それにより、回転テーブル３０３の回転を禁止する。
【００５８】
ロック１００を操作するためのフィッティングの第２の実施形態が、図９および図１０に示されている。本発明のこの実施形態に係るシェルハンドル６００は、図４ａ、図４ｂ、図４ｃ、図４ｄ、図５ａ、および図５ｂのシェルハンドル２００と同様であり、ロック１００が横方向に取り付けられているか正面方向に取り付けられているかに関係なく、同様にロック１００の操作を可能にする。フィッティング２００とフィッティング６００との違いは、ロッキング機構のみにある。
【００５９】
フィッティング６００のロッキング機構６０２の要素は、図９および図１０にさらに詳細に示されている。フィッティング６００の他の要素は、フィッティング２００の要素に対応するため、ここでは再度説明しない。機構６０２は、３つの要素、すなわち、スライド要素６１５に接続されたアクチュエータ６１１と、ラグ６１４を備えたロッキング要素６１３とからなる。
【００６０】
図９は、ロック解除位置にある機構６０２を示しており、ロッキング要素６１３のラグ６１４は、スライダー６０６の最下縁部よりも低い。図９のスライダー６０６の位置は、ロック１００の円形ラッチ１０２が後退している状態、つまり、ロック１００がロック解除されたときを示している。図９に見られるように、機構６０２は、ロッキング要素６１３がスライダー６０６によって阻害されるため、フィッティングをこの位置にロックすることが不可能となるように設計されている。すなわち、円形ラッチが後退した場合、フィッティングをロックできないことが有利である。フィッティングをロックできたとしても、これはロックのセルフロッキングを不可能にする。
【００６１】
ここでロック１００の円形ラッチ１０２がその伸長位置にある場合、スライダー６０６は、接続要素１１２（ここには図示されていない）によって方向Ｆに変位される。ここで、図１０に示されるスライダー６０６の位置で、フィッティング６００をロックすることができる。スライド要素６１５に接続されたアクチュエータ６１１を方向Ｈに変位させることにより、案内穴６１６の非対称形状により、ロッキング要素６１３が上昇する。図１０に示されるように、アクチュエータ６１１の変位後、ロッキング要素６１３のラグ６１４は、再びスライダー６０６の最下縁部よりも高くなり、それにより、スライダー６０６の方向Ｈへの変位を防止する。フィッティング６００はこの位置で操作できず、ロック１００はロック解除できない。フィッティング６００のロック解除は、アクチュエータ６１１を押し戻し、ロッキング要素６１３を下げることによって実行される。
【００６２】
フィッティング６００は、ロック１００が（図９のように）左または右に配置できるように設計されていることに留意することが重要である。実際、この図のラグ６１４が左側になるように、ロッキング要素６１３を単に回転させることができる。
【００６３】
図８は、本発明の引き戸システム５００の好ましい一実施形態を示す。引き戸システム５００は、引き戸５０１に正面方向（位置Ｉ）または横方向（位置Ｊ）に設置することができる本発明のロック１００を含む。引き戸システム５００はまた、ロック１００を操作するためのフィッティング２００を含む。引き戸システム５００の本実施形態では、フィッティング２００は、本発明のシェルハンドル２００の形態をとる。フィッティング２００およびロック１００は、接続要素１１２、１１３によって接続され、これらは、ドア５０１のボア５０２内に配置される。ドア５０１はまた、ドアフレームに対してドア５０１を移動させるためのレール５０３を有する（ここには示されていない）。
【００６４】
最後に、例としてここに記載された実施形態は、本発明の実現の可能性を表すだけであり、決して限定的であると見なされるべきではないことがもう一度指摘されるべきである。当業者は、本発明の他の実装形態およびさらなる要素が、本発明の本質的な特徴を無視することなく可能であることを理解するであろう。
【符号の説明】
【００６５】
１   閉鎖装置
１００      ロック
１０１      ロックハウジング
１０２      円形ラッチ
１０２’    ガードロッキングプレートと相互作用するための円形ラッチの突起部
１０２’’  インターロッキングプレートと相互作用するための円形ラッチの突起部
１０２’’’       円形ラッチの下縁部
１０３      スライドシステム
１０４      横方向スライド
１０４’    横方向スライドの突起部
１０５      長手方向スライド
１０５’    長手方向スライドの溝部
１０６      ガードロッキングプレート
１０６’    ガードロッキングプレートの斜めの下縁部
１０６’’  ガードロッキングプレートの溝部
１０７      インターロッキングプレート
１０７’    インターロッキングプレートの溝部
１０７’’  インターロッキングプレートの第１の上縁部
１０７’’’       インターロッキングプレートの第２の上縁部
１０８      阻害ユニット
１０９      永久磁石
１１０      阻害ユニットばね
１１１      ロックの前面プレート
１１２      ロッド
１１３      ケーブル
１１４      円形ラッチばね
１１５      ガードロッキングプレートばね
２００      フィッティング
２０１      フィッティングの機能コンポーネント
２０２      ロッキング機構
２０３      フィッティングの前面プレート
２０４      フラップ
２０５      タブ
２０６      スライダー
２０６’    スライダーの溝
２０７      ねじ
２０８      接続要素を取り付けるための手段
２０９      ばね
２１０      ベアリング
２１１      アクチュエータ
２１２      フィッティングハウジング
２１３      ロッキング要素
２１４      ラグ
２１５      スライド要素
３００      フィッティング
３０１      ハウジング
３０２      ハンドル
３０３      回転テーブル
３０４      回転テーブルの穴
３０５      ロッキング機構
３０６      ロックシリンダー
３０７      ロックシリンダーの突起部
３０８      第１のロッキングプレート
３０９      第２のロッキングプレート
４００      閉鎖プレート
４０１      ハウジング
４０２      鉛直閉鎖プレートユニット
４０３      水平閉鎖プレートユニット
４０４      開口部
４０５      磁石
４０６      プラスチックソケット
４０７      ばね
４０８      キャビティ
４０９      ロッキング面
４１０      プラスチックソケットの支持部
４１１      前面プレート
５００      引き戸システム
５０１      引き戸
５０２      ボア
５０３      レール
６００      フィッティング
６０２      ロッキング機構
６０４      フラップ
６０６      スライダー
６１１      アクチュエータ
６１３      ロッキング要素
６１４      ラグ
６１５      スライド要素
６１６      ガイド穴
Ａ   円形ラッチの枢動軸
Ｂ   スライドシステムへの押圧方向
Ｃ   スライドシステムの牽引方向
Ｄ   ロック時の円形ラッチの回転方向
Ｅ   阻害ユニットの押圧方向
Ｆ   操作方向
Ｇ   フラップの回転方向
Ｈ   スライド要素の変位方向
Ｉ   正面方向の位置
Ｊ   横方向の位置
【図１ａ】
2021525325.tif 000003
【図１ｂ】
2021525325.tif 000004
【図１ｃ】
2021525325.tif 000005
【図１ｄ】
2021525325.tif 000006
【図２ａ】
2021525325.tif 000007
【図２ｂ】
2021525325.tif 000008
【図２ｃ】
2021525325.tif 000009
【図２ｄ】
2021525325.tif 000010
【図３ａ】
2021525325.tif 000011
【図３ｂ】
2021525325.tif 000012
【図３ｃ】
2021525325.tif 000013
【図３ｄ】
2021525325.tif 000014
【図４ａ】
2021525325.tif 000015
【図４ｂ】
2021525325.tif 000016
【図４ｃ】
2021525325.tif 000017
【図４ｄ】
2021525325.tif 000018
【図５ａ】
2021525325.tif 000019
【図５ｂ】
2021525325.tif 000020
【図６ａ】
2021525325.tif 000021
【図６ｂ】
2021525325.tif 000022
【図７】
2021525325.tif 000023
【図８】
2021525325.tif 000024
【図９】
2021525325.tif 000025
【図１０】
2021525325.tif 000026
【手続補正書】
【提出日】令和3年1月21日(2021.1.21)
【手続補正１】
【補正対象書類名】図面
【補正対象項目名】図１ｂ
【補正方法】変更
【補正の内容】
【図１ｂ】
2021525325.tif 000027
【手続補正２】
【補正対象書類名】図面
【補正対象項目名】図６ａ
【補正方法】変更
【補正の内容】
【図６ａ】
2021525325.tif 000028
【国際調査報告】
2021525325.tif 000029
2021525325.tif 000030
2021525325.tif 000031
2021525325.tif 000032
2021525325.tif 000033
2021525325.tif 000034
2021525325.tif 000035
2021525325.tif 000036
2021525325.tif 000037